(57)【要約】      （修正有）【課題】簡単な構成で所望の方向に冷気を吐出できる冷蔵庫を提供することを目的とする。【解決手段】前面に開口面を有して貯蔵物を冷却保存する冷凍室（貯蔵室）と、冷凍室の背面に配される冷気通路とを備える冷蔵庫において、冷気通路が冷気を前方に案内する案内部と、案内部の前面上に開口する吐出口３３とを有し、案内部の第１周壁３２ａの前端から第１周壁３２ａに対向する第２周壁３２ｂに向かう対向方向Ｆに延びて吐出口３３の周縁を形成する遮蔽部３２ｃを設け、吐出口３３と第１周壁３２ａとの対向方向Ｆの距離Ｄ１が、吐出口３３と第２周壁３２ｂとの対向方向Ｆの距離Ｄ２よりも大きい。【選択図】図１３
2018185061.tif 000002
【特許請求の範囲】
【請求項１】
前面に開口面を有して貯蔵物を冷却保存する貯蔵室と、前記貯蔵室の背面に配される冷気通路とを備える冷蔵庫において、
前記冷気通路が冷気を前方に案内する案内部と、前記案内部の少なくとも前面上に開口する吐出口とを有し、
前記案内部の第１周壁の前端から第１周壁に対向する第２周壁に向かう対向方向に延びて吐出口の周縁を形成する遮蔽部を設け、
前記吐出口と前記第１周壁との前記対向方向の距離が、前記吐出口と前記第２周壁との前記対向方向の距離よりも大きいことを特徴とする冷蔵庫。
【請求項２】
前記遮蔽部が前記対向方向に平行に配されることを特徴とする請求項１に記載の冷蔵庫。
【請求項３】
前記吐出口が前記第２周壁に接して形成されることを特徴とする請求項１または請求項２に記載の冷蔵庫。
【請求項４】
前記吐出口が前記第２周壁の側方に面して開口することを特徴とする請求項３に記載の冷蔵庫。
【請求項５】
複数の前記案内部を備え、
一の前記案内部が前記第１周壁により左側壁を形成され、
他の前記案内部が前記第１周壁により右側壁を形成されることを特徴とする請求項１〜請求項４のいずれかに記載の冷蔵庫。
【請求項６】
前記第１周壁が前記第２周壁よりも前記貯蔵室の側壁に近い位置に配されることを特徴とする請求項５に記載の冷蔵庫。
【請求項７】
前記吐出口が格子状のリブにより複数の開口部に分割されることを特徴とする請求項１〜請求項６のいずれかに記載の冷蔵庫。
【発明の詳細な説明】
【技術分野】
【０００１】
本発明は、貯蔵室の背面に冷気通路を設けた冷蔵庫に関する。
【背景技術】
【０００２】
従来の冷蔵庫は特許文献１に開示されている。この冷蔵庫は断熱壁を介して隣接する冷蔵室、冷凍室、野菜室を有する。冷凍室の背面には冷却器及び送風機を配した冷気通路が設けられる。冷却器により冷気が生成され、送風機により冷気が送出される。冷気通路には冷凍室に臨む吐出口が設けられる。吐出口は冷凍室の背面の両側部に配置される。
【０００３】
上記構成の冷蔵庫において、送風機が駆動されると、冷却器で生成された冷気が冷気通路を流通して吐出口から冷凍室内に吐出される。これにより、冷凍室が冷却される。
【先行技術文献】
【特許文献】
【０００４】
【特許文献１】特開平７‐２６０３１５号公報（第６頁、第１図〜第３図）
【発明の概要】
【発明が解決しようとする課題】
【０００５】
上記従来の冷蔵庫によると、冷凍室の背面の両側部に配置される吐出口から前方に冷気が吐出され、冷凍室の側壁に沿って流通する冷気が多くなる。これにより、側壁を介して冷熱が庫外に放出され易くなり、冷蔵庫の冷却効率が悪くなる。吐出口は庫内の機器により配置を制限される場合があるため、簡単な構成で側壁から離れる方向に冷気を吐出できる冷蔵庫が望まれる。また、側壁から離れる方向だけでなく、配置を制限される吐出口から簡単な構成で所望の方向に向けて冷気を吐出できることが望まれる。
【０００６】
本発明は、簡単な構成で所望の方向に向けて冷気を吐出できる冷蔵庫を提供することを目的とする。
【課題を解決するための手段】
【０００７】
上記目的を達成するために本発明は、前面に開口面を有して貯蔵物を冷却保存する貯蔵室と、前記貯蔵室の背面に配される冷気通路とを備える冷蔵庫において、
前記冷気通路が冷気を前方に案内する案内部と、前記案内部の少なくとも前面上に開口する吐出口とを有し、
前記案内部の第１周壁の前端から第１周壁に対向する第２周壁に向かう対向方向に延びて吐出口の周縁を形成する遮蔽部を設け、
前記吐出口と前記第１周壁との前記対向方向の距離が、前記吐出口と前記第２周壁との前記対向方向の距離よりも大きいことを特徴としている。
【０００８】
また本発明は、上記構成の冷蔵庫において、前記遮蔽部が前記対向方向に平行に配されることが好ましい。
【０００９】
また本発明は、上記構成の冷蔵庫において、前記吐出口が前記第２周壁に接して形成されることが好ましい。
【００１０】
また本発明は、上記構成の冷蔵庫において、前記吐出口が前記第２周壁の側方に面して開口することが好ましい。
【００１１】
また本発明は、上記構成の冷蔵庫において、複数の前記案内部を備え、一の前記案内部が前記第１周壁により左側壁を形成され、他の前記案内部が前記第１周壁により右側壁を形成されることが好ましい。
【００１２】
また本発明は、上記構成の冷蔵庫において、前記第１周壁が前記第２周壁よりも前記貯蔵室の側壁に近い位置に配されることが好ましい。
【００１３】
また本発明は、上記構成の冷蔵庫において、前記吐出口が格子状のリブにより複数の開口部に分割されることが好ましい。
【００１４】
また本発明は、上記構成の冷蔵庫において、前記リブの前面と前記遮蔽部の前面とが前記開口面に平行な同一面上に配されることが好ましい。
【００１５】
また本発明は、上記構成の冷蔵庫において、前記リブの背面と前記遮蔽部の背面とが前記開口面に平行な同一面上に配されることが好ましい。
【発明の効果】
【００１６】
本発明の冷蔵庫によると、冷気通路が冷気を前方に案内する案内部と、案内部の少なくとも前面上に開口する吐出口とを有し、案内部の第１周壁の前端から第１周壁に対向する第２周壁に向かう対向方向に延びて吐出口の周縁を形成する遮蔽部が設けられる。そして、吐出口と第１周壁との対向方向の距離が、吐出口と第２周壁との対向方向の距離よりも大きい。これにより、第１周壁の内面に沿う冷気の気流（冷気流）は遮蔽部に衝突して吐出口側に曲げられ、第２周壁の内面に沿う冷気流に遮蔽部側から当たって合流する。これにより、吐出口から吐出される冷気流は吐出口に対して遮蔽部と反対方向に曲げられる。したがって、簡単な構成で所望の方向に向けて冷気を吐出することができる。
【図面の簡単な説明】
【００１７】
【図１】本発明の第１実施形態の冷蔵庫を示す正面図
【図２】本発明の第１実施形態の冷蔵庫を示す右側面断面図
【図３】本発明の第１実施形態の冷蔵庫の背面パネルを示す斜視図
【図４】本発明の第１実施形態の冷蔵庫の背面パネルを示す正面図
【図５】図４のＡ−Ａ断面図
【図６】本発明の第１実施形態の冷蔵庫のカバー部を前方から見た斜視図
【図７】本発明の第１実施形態の冷蔵庫の案内部を拡大した拡大斜視図
【図８】本発明の第１実施形態の冷蔵庫の案内部を拡大した拡大平面断面図
【図９】本発明の第１実施形態の冷蔵庫の案内部の成形時の状態を示す平面断面図
【図１０】本発明の第２実施形態の冷蔵庫の案内部を拡大した拡大斜視図
【図１１】本発明の第２実施形態の冷蔵庫の案内部を拡大した拡大平面断面図
【図１２】本発明の第３実施形態の冷蔵庫の案内部を拡大した拡大斜視図
【図１３】本発明の第３実施形態の冷蔵庫の案内部を拡大した拡大平面断面図
【発明を実施するための形態】
【００１８】
以下に図面を参照して本発明の例示的な実施形態を説明する。なお、本明細書では、冷蔵庫１において、扉２ａ、３ａ、４ａ、５ａ、６ａが閉じる面（開口面ＯＦ）側を「前面側」とし、内箱１１に対して扉２ａ、３ａ、４ａ、５ａ、６ａの反対側を「背面側」とする。「背面側」から「前面側」に向かう方向を「前方」とするとともに「前面側」から「背面側」に向かう方向を「後方」とする。
【００１９】
また、「前面」側から冷蔵庫１を見て右側の側面を「右側面」とするとともに左側の側面を「左側面」とする。「左側面」側から「右側面」側に向かう方向を「右方向」とするとともに「右側面」側から「左側面」側に向かう方向を「左方向」とする。
【００２０】
また、冷蔵庫１において、室内の床面ＦＬに向かう方向を「下方向」とするとともに床面ＦＬから離れる方向を「上方向」とする。
【００２１】
＜第１実施形態＞
以下に図面を参照して本発明の実施形態を説明する。図１及び図２は第１実施形態の冷蔵庫の正面図及び右側面断面図を示している。冷蔵庫１は室内の床面ＦＬ上に設置され、塗装鋼板等により形成された外箱１０と樹脂成形品により形成された内箱１１との間に発泡ウレタン等の発泡断熱材１２を充填した断熱箱体７を有する。断熱箱体７によって冷蔵庫１の上部には冷蔵室２（貯蔵室）が形成される。冷蔵室２は食品等の貯蔵物を冷蔵保存する。
【００２２】
冷蔵室２の下方には左右に並設された製氷室５（貯蔵室）及び冷凍室４（貯蔵室）が断熱材を充填した仕切壁１１ａを介して配される。冷凍室４及び製氷室５の下方には仕切部５０を介して冷凍室３（貯蔵室）が配される。冷凍室３、４及び製氷室５は仕切部５０の後方を介して内部で連通し、冷凍室４の容積は冷凍室３の容積よりも小さくなっている。製氷室５は自動製氷装置（不図示）によって製氷された氷を貯氷し、冷凍室３、４は食品等の貯蔵物を冷凍保存する。
【００２３】
冷凍室３の下方には断熱材を充填した仕切壁１１ｂを介して野菜室６が配される。野菜室６内の温度は冷蔵室２の温度よりも高く設定され、野菜等を冷蔵保存する。野菜室６の前面の開口面ＯＦは収納ケース６ｂと一体に前後にスライド移動する引出式の扉６ａにより開閉される。野菜室６は連通路２６（図４、図６参照）を介して冷蔵室２と連通している。また、野菜室６の背面には戻り口３０ｃが設けられる。
【００２４】
冷蔵室２の前面の開口面ＯＦは側端に回動軸を有する回動式の扉２ａにより開閉される。冷蔵室２の両側壁には前後に延びる複数の支持部（不図示）が上下に並んで突設される。各支持部上には透明の樹脂から成る棚６０が着脱可能に設置され、棚６０上には貯蔵物が載置される。
【００２５】
製氷室５の前面の開口面ＯＦは貯氷ケース５ｂ（不図示）と一体に前後にスライド移動する引出式の扉５ａにより開閉される。冷凍室３、４の前面の開口面ＯＦは収納ケース３ｂ、４ｂと一体に前後にスライド移動する引出式の扉３ａ、４ａによりそれぞれ開閉される。また、収納ケース３ｂ上には収納ケース３ｃが載置される。
【００２６】
外箱１０の背面板１０ａの内面にはパネル状の真空断熱材１４がホットメルト接着剤または両面粘着テープ等により貼着される。真空断熱材１４は袋状の外被材１４ａ内にガラス繊維等の芯材（不図示）を内包する。また、真空断熱材１４は外被材１４ａの内部を真空引きにより減圧され、外被材１４ａの端部を密着して封止される。外被材１４ａはアルミニウムの蒸着フィルム等を含む積層フィルムから成り、ガスバリア性を有する。真空断熱材１４は発泡断熱材１２よりも熱伝導率が低いため、断熱箱体７の断熱性能を向上させることができる。
【００２７】
野菜室６の後方には機械室１９が設けられる。機械室１９の底面及び背面はそれぞれ底面板１９ａ及び背面カバー１９ｂにより覆われる。機械室１９内には冷凍サイクルを運転する圧縮機２０が配される。圧縮機２０には冷却器２１が接続される。
【００２８】
冷凍室３、４及び製氷室５の背面にはＡＢＳ樹脂等の樹脂成形品の背面パネル３５が配され、背面パネル３５と内箱１１の背面との間には冷気通路３０が形成される。冷気通路３０は主通路３１、案内部３２及び吐出口３３、３４を有する。
【００２９】
主通路３１は内箱１１の内面（背面）に沿って上下に延び、前部３１ａ及び後部３１ｂを有する。後部３１ｂはカバー部３１ｃを介して前部３１ａよりも後方に配置され、後部３１ｂには冷気を生成する冷却器２１が配置される。カバー部３１ｃには貫通孔３１ｄ（図６も参照）が設けられ、貫通孔３１ｄ内には冷気を送出する送風機１５（図６も参照）が配置される。貫通孔３１ｄを介して後部３１ｂと前部３１ａとは連通する。
【００３０】
図３及び図４は背面パネル３５を示す斜視図及び正面図である。図５は図４のＡ−Ａ断面図である。背面パネル３５の下端部には冷凍室３に臨む戻り口３０ｂが設けられる。筒状の案内部３２は主通路３１の前部３１ａから前方に延びて複数形成され、冷気を前方に案内する。本実施形態では、案内部３２の開口面ＯＦ（図２参照）に平行な断面は略矩形に形成される。なお、案内部３２の開口面ＯＦに平行な断面は円形、楕円形または五角形以上の多角形であってもよい。
【００３１】
本実施形態では、案内部３２は４個設けられる。４個の案内部３２は背面パネル３５の上端部の右端部、上端部の左部、上下方向中央部の右端部、及び略中央部にそれぞれ配置され、それぞれ上段右方、上段左方、下段右方、下段左方の案内部３２と呼ぶ。上段右方及び上段左方の案内部３２はそれぞれ冷凍室４及び製氷室５に臨んでいる。下段右方及び下段左方の案内部３２は冷凍室３に臨み、収納ケース３ｃと略同じ高さに配置される。
【００３２】
吐出口３４は下段右方及び下段左方の案内部３２よりも下方に設けられ、左右方向に延びて形成される。吐出口３４は上下に延びる複数（本実施形態では２本）のリブ３４ａにより複数（本実施形態では３個）の開口部３４ｂに分割されている。また、吐出口３４の左右方向の長さは後述の吐出口３３の左右方向の長さよりも長く、吐出口３４の開口面積は吐出口３３の開口面積よりも大きくなっている。
【００３３】
図６はカバー部３１ｃを前方から見た斜視図である。カバー部３１ｃの右端部には上下に延びる連通路２６が配置される。連通路２６の前面及び両側面は連通路カバー２６ａにより覆われる。カバー部３１ｃにおいて連通路２６よりも左方には背面パネル３５が取り付けられる。
【００３４】
図７及び図８は下段右方の案内部３２を拡大した拡大斜視図及び拡大平面断面図である。下段右方以外の案内部３２も下段右方の案内部３２と同様の構成であるため、下段右方の案内部３２を代表して説明する。案内部３２は第１周壁３２ａと、第１周壁３２ａに対向する第２周壁３２ｂとを有する。吐出口３３は案内部３２の前面上に開口し、第２周壁３２ｂに接して形成される。図４において、上段右方及び上段左方の吐出口３３はそれぞれ冷凍室４及び製氷室５に臨む。図４において、下段右方及び下段左方の吐出口３３は冷凍室３に臨み、収納ケース３ｃ（図２参照）と略同じ高さに配置される。
【００３５】
案内部３２の前端部には遮蔽部３２ｃが設けられる。遮蔽部３２ｃは第１周壁３２ａの内面の前端から第２周壁３２ｂに向かう対向方向Ｆに延びて吐出口３３の周縁を形成する。具体的には、遮蔽部３２ｃは前面側から見て吐出口３３の対向方向Ｆの一端辺（右端辺）を形成する。また、遮蔽部３２ｃは対向方向Ｆに平行に配される。本実施形態では、吐出口３３は第２周壁３２ｂに接して形成される。具体的には、前面側から見て吐出口３３の上記一端辺に対向方向Ｆで対向する他端辺（左端辺）は第２周壁３２ｂに接している。これにより、吐出口３３と第１周壁３２ａとの対向方向Ｆの距離は、吐出口３３と第２周壁３２ｂとの対向方向Ｆの距離（本実施形態では０）よりも大きくなっている。
【００３６】
図３に示すように、上段右方及び下段右方の案内部３２の右側壁及び左側壁はそれぞれ第１周壁３２ａ及び第２周壁３２ｂにより形成される。上段左方及び下段左方の案内部３２の右側壁及び左側壁はそれぞれ第２周壁３２ｂ及び第１周壁３２ａにより形成される。これにより、第１周壁３２ａは第２周壁３２ｂよりも冷凍室３の側壁３ｓ（不図示）に近い位置に配される。
【００３７】
吐出口３３は格子状のリブ３３ａ、３３ｃにより複数の開口部３３ｂに分割される。本実施形態では、上下に延びる１本のリブ３３ａ及びリブ３３ａに交差して左右に延びる１本のリブ３３ｃにより吐出口３３は４個の開口部３３ｂに分割される。なお、リブ３３ａ、３３ｃを複数設けてもよい。また、リブ３３ａ及びリブ３３ｃの一方または両方を省いてもよい。
【００３８】
本実施形態では、４個の案内部３２の周壁は、同じ方向に延びて形成されている。また、吐出口３３を分割するリブ３３ａ、３３ｃは、図７及び図８に示すように、吐出口３３から吐出される冷気の方向を所望の方向に曲げるための傾斜面を有していない。すなわち、案内部３２の周壁や、リブ３３ａ、３３ｃは冷気の方向を所望の方向に曲げる風向偏向板の機能を有していない。
【００３９】
図９は案内部３２の成形時の状態を示す平面断面図である。案内部３２の金型９０はブロック９１と、ブロック９１に対して図中上下方向に移動するブロック９２とから成る。ブロック９２の図中の下面には紙面に直交する方向に延びる凹部９２ａと図中左右方向に延びる凹部９２ｂ（不図示）が凹設される。なお、図中、矢印Ｒはブロック９２の抜き方向を示している。
【００４０】
ブロック９１は第１周壁３２ａの外面、前面、第２周壁３２ｂの外面、前面、遮蔽部３２ｃの前面、及びリブ３３ａ、３３ｃの前面を形成する。ブロック９２は第１周壁３２ａの内面、第２周壁３２ｂの内面、遮蔽部３２ｃの背面、左側面、リブ３３ａの両側面、背面、リブ３３ｃの上面、下面、背面を形成する。なお、凹部９２ａはリブ３３ａの両側面及び背面を形成し、凹部９２ｂはリブ３３ｃの上面、下面、背面を形成する。
【００４１】
前述の通り、案内部３２の周壁や、リブ３３ａ、３３ｃは、単独で冷気の方向を所望の方向に曲げる風向偏向板の機能を有していない。このため、案内部３２の周壁や、リブ３３ａ、３３ｃをブロック９２の抜き方向（矢印Ｒ）に対して所定の抜き勾配以上に傾斜させる必要がない。また、リブ３３ａ、３３ｃを風向偏向板として機能させるためにリブ３３ａ、３３ｃの前後方向の長さを長く確保する必要がない。したがって、リブ３３ａ、３３ｃの形成のためにブロック９１とブロック９２との合わせ面ＭＦ上に大きな凹凸や傾斜角度の大きい傾斜面を設ける必要がなく、合わせ面ＭＦは抜き方向に対して略垂直な平面に小さい凹凸を有して形成される。したがって、金型９０を容易に作製することができる。また、金型９０によって案内部３２を、背面パネル３５に一体に容易に成形することができる。
【００４２】
図２に示すように、冷気通路３０の前部３１ａの上方にはダンパ１６を介して冷気通路４０が連結される。冷気通路４０は冷蔵室２の内箱１１の内面（背面）に沿って上下に延びて形成され、冷蔵室２に臨む複数の吐出口４１を有する。また、野菜室６と冷却器２１の下方とを連結する戻り通路７０が形成される。野菜室６内を流通した冷気は戻り通路７０を介して冷却器２１の下方に戻る。
【００４３】
上記構成の冷蔵庫１において、圧縮機２０（図２参照）の駆動により冷凍サイクルが運転されると、冷却器２１が低温に維持される。送風機１５の駆動によって冷気通路３０の後部３１ｂを流通する空気は冷却器２１と熱交換する。これにより、冷気が生成される。生成された冷気は送風機１５の駆動により貫通孔３１ｄを介して前部３１ａに流入する。前部３１ａに流入した冷気の一部は案内部３２を流通し、吐出口３３を介して冷凍室３、４及び製氷室５に吐出される。また、前部３１ａを流通した冷気の一部は吐出口３４を介して冷凍室３に吐出される。吐出口３３から吐出された冷気は冷凍室３、４及び製氷室５内を流通するとともに、吐出口３４から吐出された冷気は冷凍室３内を流通し、戻り口３０ｂを介して冷却器２１に戻る。これにより、冷凍室３、４及び製氷室５が冷却される。
【００４４】
この時、案内部３２内を前方へ向かって流通する冷気は案内部３２により整流されるため、吐出口３３に向かう冷気の速度や密度の偏りが軽減される。
【００４５】
そして、案内部３２には第１周壁３２ａの前端から対向方向Ｆに延びて吐出口３３の周縁を形成する遮蔽部３２ｃが設けられている。すなわち、遮蔽部３２ｃは前面側から見て吐出口３３の対向方向Ｆの一端辺（右端辺）を形成している。これにより、図８の矢印Ｓに示すように、第１周壁３２ａの内面に沿う冷気の気流（冷気流）は遮蔽部３２ｃに衝突して吐出口３３側に曲げられ、第２周壁３２ｂの内面に沿う冷気流に遮蔽部３２ｃ側から当たって合流する。この時、第２周壁３２ｂの内面は吐出口３３の周縁に接している。すなわち、前面側から見て吐出口３３の上記一端辺に対向方向Ｆで対向する他端辺（左端辺）は第２周壁３２ｂに接している。このため、第２周壁３２ｂの内面に沿う冷気流は第２周壁３２ｂの内面の前端で第１周壁３２ａ側には曲がらない。これにより、合流して吐出口３３から吐出された冷気流は吐出口３３に対して遮蔽部３２ｃと反対方向に曲げられる。すなわち、吐出口３３から吐出された冷気は第１周壁３２ａ側の冷凍室３の側壁３ｓから離れる方向に流通する。
【００４６】
ダンパ１６（図２参照）が開かれると、冷気通路３０の前部３１ａを流通する冷気の一部が冷気通路４０に流入する。図２の矢印Ｓに示すように、冷気通路４０を流通した冷気は吐出口４１から冷蔵室２内に吐出され、冷蔵室２内を流通した後に流出口（不図示）から流出する。これにより、冷蔵室２が冷却される。
【００４７】
冷蔵室２の流出口から流出した冷気は連結路２６を流通し、流入口（不図示）を介して野菜室６に流入する。野菜室６に流入した冷気は野菜室６内を流通し、戻り口３０ｃを介して冷却器２１に戻る。これにより、野菜室６が冷却される。
【００４８】
本実施形態によると、冷気通路３０が冷気を前方に案内する案内部３２と、案内部３２の前面上に開口する吐出口３３とを有する。案内部３２の第１周壁３２ａの前端から対向方向Ｆに延びて吐出口３３の周縁を形成する遮蔽部３２ｃが設けられる。
【００４９】
これにより、第１周壁３２ａの内面に沿う冷気流は遮蔽部３２ｃに衝突して吐出口３３側に曲げられ、第２周壁３２ｂの内面に沿う冷気流に遮蔽部３２ｃ側から当たって合流する。このため、合流して吐出口３３から吐出された冷気流は吐出口３３に対して遮蔽部３２ｃと反対方向に曲げられる。したがって、冷蔵庫１は簡単な構成で所望の方向に向けて冷気を吐出することができる。
【００５０】
また、遮蔽部３２ｃが対向方向Ｆに平行に配される。これにより、第２周壁３２ｂに沿う冷気流の流通方向と、遮蔽部３２ｃに沿う冷気流の流通方向とが略直交する。したがって、吐出口３３から吐出される冷気流を吐出口３３に対して遮蔽部３２ｃと反対方向により容易に曲げることができる。
【００５１】
また、吐出口３３が第２周壁３２ｂに接して形成される。これにより、第２周壁３２ｂに沿う冷気流は第２周壁３２ｂの内面の前端で第１周壁３２ａ側には曲がらない。したがって、吐出口３３から吐出される冷気流を吐出口３３に対して遮蔽部３２ｃと反対方向により一層容易に曲げることができる。
【００５２】
上述の通り、案内部３２の周壁や、リブ３３ａ、３３ｃは、単独で冷気の方向を所望の方向に曲げる風向偏向板の機能を有していない。このため、案内部３２の周壁や、リブ３３ａ、３３ｃを金型９０の抜き方向（図９の矢印Ｒ）に対して所定の抜き勾配以上に傾斜させる必要がない。そして、案内部３２の第１周壁３２ａの前端から対向方向Ｆに延びて吐出口３３の周縁を形成する遮蔽部３２ｃが設けられることにより、案内部３２を流通した冷気は吐出口３３から吐出される際に吐出方向を曲げられる。すなわち、吐出口３３の周縁を形成する遮蔽部３２ｃの配置によって冷気の吐出方向を制御することができるため、任意の吐出方向が設定された案内部３２を背面パネル３５に一体に金型９０により成形することができる。
【００５３】
図３に示すように、上段右方の案内部３２の右側壁及び左側壁はそれぞれ第１周壁３２ａ及び第２周壁３２ｂにより形成される。上段左方の案内部３２の右側壁及び左側壁はそれぞれ第２周壁３２ｂ及び第１周壁３２ａにより形成される。すなわち、第１周壁３２ａは第２周壁３２ｂよりも冷凍室３の側壁３ｓに近い位置に配される。これにより、冷凍室３の側壁３ｓに沿って流通する冷気を少なくすることができる。したがって、側壁３ｓを介して冷熱が庫外に放出されにくくなり、冷蔵庫１の冷却効率を向上させることができる。
【００５４】
また、下段左方の案内部３２（一の案内部３２）が第１周壁３２ａにより左側壁を形成され、下段右方の案内部３２（他の案内部３２）が第１周壁３２ａにより右側壁を形成される。これにより、右方及び左方の吐出口３３から吐出された冷気により冷凍室３の左右方向の中央部を集中して冷却することができる。また、例えば、下段右方の案内部３２（一の案内部３２）が第１周壁３２ａにより左側壁を形成されるとともに下段左方の案内部３２（他の案内部３２）が第１周壁３２ａにより右側壁を形成されてもよい。この場合には、冷凍室３の左部及び右部を集中して冷却することができる。このように、一の背面パネル３５に複数の案内部３２を設けて遮蔽部３２ｃにより冷気の吐出方向を互いに異なるようにする場合であっても、各案内部３２の周壁やリブ３３ａ、３３ｃを、冷気の吐出方向に応じて夫々異なる傾斜面とする必要がない。すなわち、図９の矢印Ｒに示す所定の抜き方向とした金型９０により、様々な冷気の吐出方向を有する複数の案内部３２を背面パネル３５に一体に成形することができ、冷蔵庫１の製造コストを削減することができる。
【００５５】
また、吐出口３３が格子状のリブ３３ａ、３３ｃにより複数の開口部３３ｂに分割される。これにより、吐出口３３から吐出される冷気流を容易に整流することができ、吐出口３３から冷気流を円滑に吐出することができる。
【００５６】
また、リブ３３ａの前面と遮蔽部３２ｃの前面とが開口面ＯＦに平行な同一面上に配される。これにより、案内部３２の成形時に金型９０のブロック９１とブロック９２との合わせ面ＭＦが抜き方向に対して略垂直な平面に形成される。したがって、金型９０を容易に作製することができ、冷蔵庫１の製造コストを削減することができる。
【００５７】
なお、リブ３３ａの背面と遮蔽部３２ｃの背面とが開口面ＯＦに平行な同一面上に配されてもよい。この場合でも、案内部３２の成形時に金型９０のブロック９１とブロック９２との合わせ面ＭＦが抜き方向に対して略垂直な平面に形成される。したがって、金型９０を容易に作製することができ、冷蔵庫１の製造コストを削減することができる。
【００５８】
＜第２実施形態＞
次に、本発明の第２実施形態について説明する。図１０及び図１１は第２実施形態の冷蔵庫１の案内部３２を拡大した拡大斜視図及び拡大平面断面図である。説明の便宜上、前述の図１〜図９に示す第１実施形態と同様の部分には同一の符号を付している。第２実施形態では吐出口３３の構成が第１実施形態とは異なっている。その他の部分は第１実施形態と同様である。
【００５９】
本実施形態では、左右に延びるリブ３３ｃを省き、上下に延びる２本のリブ３３ａを設けている。案内部３２の左側壁（第２周壁３２ｂ）の前端は右側壁（第１周壁３２ａ）の前端よりも後方に配置される。これにより、案内部３２の吐出口３３は左側壁（第２周壁３２ｂ）の側方に面して開口する。なお、第１周壁３２ａの前端と第２周壁３２ｂの前端の前後方向の位置を同じにし、案内部３２の第２周壁３２ｂの前端近傍に貫通孔または切欠きを設けてもよい。
【００６０】
上記構成の冷蔵庫１において、送風機１５を駆動させると、第１実施形態と同様に、吐出口３３から吐出される冷気流は吐出口３３に対して遮蔽部３２ｃと反対方向に曲げられる。この時、案内部３２の吐出口３３は第２周壁３２ｂの側方に面して開口している。これにより、案内部３２内を流通した冷気を吐出口３３に対して遮蔽部３２ｃと反対方向により容易に吐出することができる。
【００６１】
本実施形態でも第１実施形態と同様の効果を得ることができる。また、吐出口３３が第２周壁３２ｂの側方に面して開口する。これにより、案内部３２内を流通した冷気を吐出口３３に対して遮蔽部３２ｃと反対方向により容易に吐出することができる。
【００６２】
＜第３実施形態＞
次に、本発明の第３実施形態について説明する。図１２及び図１３は第３実施形態の冷蔵庫１の案内部３２を拡大した拡大斜視図及び拡大平面断面図である。説明の便宜上、前述の図１〜図９に示す第１実施形態と同様の部分には同一の符号を付している。第３実施形態では案内部３２の吐出口３３の構成が第１実施形態とは異なっている。その他の部分は第１実施形態と同様である。
【００６３】
本実施形態ではリブ３３ａ、３３ｃを省き、吐出口３３は一の開口部３３ｂにより形成されている。また、案内部３２の第２周壁３２ｂの前端に遮蔽部３２ｃと同様の遮蔽部が設けられる。この時、吐出口３３と第１周壁３２ａとの対向方向Ｆの距離Ｄ１は、吐出口３３と第２周壁３２ｂとの対向方向Ｆの距離Ｄ２よりも大きくなっている。第１実施形態では距離Ｄ２は０であるが、本実施形態では距離Ｄ２は０よりも大きくなっている。
【００６４】
上記構成の冷蔵庫１において、送風機１５を駆動させると、第１実施形態と同様に、吐出口３３から吐出される冷気流は吐出口３３に対して遮蔽部３２ｃと反対方向に曲げられる。この時、吐出口３３と第１周壁３２ａとの対向方向Ｆの距離Ｄ１が、吐出口３３と第２周壁３２ｂとの対向方向Ｆの距離Ｄ２よりも大きくなっている。これにより、吐出口３３の下流近傍の冷気流に対して側方から当る冷気の量は第２周壁３２ｂ側よりも第１周壁３２ａの遮蔽部３２ｃ側からの方が多い。このため、吐出口３３から吐出された冷気流は吐出口３３に対して遮蔽部３２ｃと反対方向に曲げられる。すなわち、吐出口３３から吐出された冷気は第１周壁３２ａ側の冷凍室３の側壁３ｓから離れる方向に流通する。
【００６５】
本実施形態でも第１実施形態と同様の効果を得ることができる。また、リブ３３ａ、３３ｃを設けないため、金型９０を容易に作製することができ、冷蔵庫１の製造コストをより削減することができる。なお、リブ３３ａ、３３ｃを省かずに第１実施形態と同様にリブ３３ａ、３３ｃの一方または両方を設けてもよい。
【００６６】
また、吐出口３３と第１周壁３２ａとの対向方向Ｆの距離Ｄ１が、吐出口３３と第２周壁３２ｂとの対向方向Ｆの距離Ｄ２よりも大きい。
【００６７】
これにより、吐出口３３の下流近傍の冷気流に対して側方から当る冷気の量は、第２周壁３２ｂ側よりも第１周壁３２ａの遮蔽部３２ｃ側からの方が多くなる。このため、第２周壁３２ｂの前端に遮蔽部３２ｃと同様の遮蔽部を設けた場合でも吐出口３３から吐出された冷気流は吐出口３３に対して遮蔽部３２ｃと反対方向に曲げられる。したがって、冷蔵庫１は簡単な構成で所望の方向に向けて冷気を吐出することができる。
【００６８】
第１実施形態〜第３実施形態において、冷気通路４０が案内部３２と同様の案内部を有してもよい。
【００６９】
また、第１実施形態〜第３実施形態において、第１周壁３２ａにより案内部３２の上壁または下壁が形成されてもよい。これにより、吐出口３３から吐出される冷気流を下方または上方に曲げることができる。
【００７０】
また、一の背面パネル３５上に第１実施形態〜第３実施形態の案内部３２を適宜組み合わせて設けてもよい。例えば、図４において、上段左方の案内部３２を第３実施形態の案内部３２と同様な案内部により形成し、上段右方の案内部３２を第２実施形態の案内部３２と同様な案内部により形成してもよい。
【００７１】
また、第１実施形態〜第３実施形態において、案内部３２は背面パネル３５の前面から前方に突出しているが、背面パネル３５の前面から後方に突出してもよい。案内部３２を背面パネル３５の前面から前方に突出して形成すると、案内部３２の第１周壁３２ａ及び第２周壁３２ｂによる主通路３１内の冷気の流通妨害を防止できるため望ましい。
【産業上の利用可能性】
【００７２】
本発明によると、貯蔵室の背面に冷気通路を設けた冷蔵庫に利用することができる。
【符号の説明】
【００７３】
１        冷蔵庫
２        冷蔵室（貯蔵室）
２ａ、３ａ、４ａ、５ａ、６ａ    扉
３、４    冷凍室（貯蔵室）
３ｂ、３ｃ、４ｂ、５ｂ、６ｂ    収納ケース
３ｓ      側壁
５        製氷室（貯蔵室）
６        野菜室
７        断熱箱体
１０      外箱
１０ａ    背面板
１１      内箱
１１ａ、１１ｂ    仕切壁
１２      発泡断熱材
１４      真空断熱材
１５      送風機
１６      ダンパ
２０      圧縮機
２１      冷却器
３０、４０      冷気通路
３０ｂ、３０ｃ    戻り口
３１      主通路
３１ａ    前部
３１ｂ    後部
３１ｃ    カバー部
３１ｄ    貫通孔
３２      案内部
３２ａ    第１周壁
３２ｂ    第２周壁
３２ｃ    遮蔽部
３３、３４、４１      吐出口
３３ａ、３３ｃ    リブ
３３ｂ    開口部
３３ｓ    側壁
３５      背面パネル
５０      仕切部
６０      棚
７０      戻り通路
Ｆ        対向方向
ＦＬ      床面
ＯＦ      開口面
Ｎ        法線
Ｓ        矢印
【図１】
2018185061.tif 000003
【図２】
2018185061.tif 000004
【図３】
2018185061.tif 000005
【図４】
2018185061.tif 000006
【図５】
2018185061.tif 000007
【図６】
2018185061.tif 000008
【図７】
2018185061.tif 000009
【図８】
2018185061.tif 000010
【図９】
2018185061.tif 000011
【図１０】
2018185061.tif 000012
【図１１】
2018185061.tif 000013
【図１２】
2018185061.tif 000014
【図１３】
2018185061.tif 000015